(57)【要約】【課題】重錘部の揺れ動きを規制して、他の機器類の損傷を回避できる液化ガス貯留タンクにおける計測装置を提供する。【解決手段】液化ガス貯留タンク１の屋根１Ａの上部に設けたケーシング３と、当該ケーシング３の内部と液化ガス貯留タンク１の内部との屋根１Ａに形成した連通用開口２を通した連通を開閉する開閉部４と、一対のガイドワイヤ５の下端部に備えた重錘部６を液化ガス貯留タンク１の底部に位置させるガイド状態と重錘部６をケーシング３に収納する収納状態とに切換えるために、一対のガイドワイヤ５を繰出し及び巻き取る巻回部７と、一対のガイドワイヤ５にて案内される形態で昇降操作されるプローブＱとが設けられ、重錘部６の横移動範囲を規制する状態でガイド状態の重錘部６を収納する重錘部収納体Ｕが、液化ガス貯留タンク１のタンク底部１Ｂに固定状態で設けられている。【選択図】図１
2018132173.tif 000002
【特許請求の範囲】
【請求項１】
液化天然ガス又は液化石油ガスを貯留対象液として貯留する液化ガス貯留タンクの屋根の上部に設けたケーシングと、当該ケーシングの内部と前記液化ガス貯留タンクの内部との前記屋根に形成した連通用開口を通した連通を開閉する開閉部と、一対のガイドワイヤの下端部に備えた重錘部を前記液化ガス貯留タンクの底部側に位置させるガイド状態と前記重錘部を前記ケーシングに収納する収納状態とに切換えるために、前記一対のガイドワイヤを繰出し及び巻き取る巻回部と、前記一対のガイドワイヤにて案内される形態で昇降操作されるプローブとが設けられ、
前記プローブが、前記貯留対象液の物理量を検出するように構成された液化ガス貯留タンクにおける計測装置であって、
前記重錘部の横移動範囲を規制する状態で前記ガイド状態の前記重錘部を収納する重錘部収納体が、前記液化ガス貯留タンクのタンク底部に固定状態で設けられている液化ガス貯留タンクにおける計測装置。
【請求項２】
前記重錘部収納体が、前記重錘部の横移動を受止め規制する側壁部と前記重錘部の上昇を受止め規制する上壁部とを備え、
前記上壁部における前記連通用開口の鉛直方向下方側に対応する箇所に、前記重錘部が昇降する重錘部通過口が形成され、かつ、前記上壁部における前記重錘部通過口の周囲に、前記ガイドワイヤが挿通可能な複数のワイヤ挿通孔が放射状に形成されている請求項１記載の液化ガス貯留タンクにおける計測装置。
【請求項３】
前記重錘部収納体が、前記重錘部の下降動を受止め規制する底壁部を備え、
前記底壁部が、前記重錘部通過口の鉛直方向下方側に位置する水平状の重錘部受部分と当該重錘部受部分の周囲に当該重錘部受部分から離れるほど上方に位置する重錘部案内部分とを備える形態に構成されている請求項２記載の液化ガス貯留タンクにおける計測装置。
【請求項４】
前記重錘部収納体の周囲に、前記底壁部を前記タンク底部から浮上させた状態で前記重錘部収納体を支持する複数の脚部が備えられている請求項３記載の液化ガス貯留タンクにおける計測装置。  
【発明の詳細な説明】
【技術分野】
【０００１】
本発明は、液化天然ガス又は液化石油ガスを貯留対象液として貯留する液化ガス貯留タンクの屋根の上部に設けたケーシングと、当該ケーシングの内部と前記液化ガス貯留タンクの内部との前記屋根に形成した連通用開口を通した連通を開閉する開閉部と、一対のガイドワイヤの下端部に備えた重錘部を前記液化ガス貯留タンクの底部側に位置させるガイド状態と前記重錘部を前記ケーシングに収納する収納状態とに切換えるために、前記一対のガイドワイヤを繰出し及び巻き取る巻回部と、前記一対のガイドワイヤにて案内される形態で昇降操作されるプローブとが設けられ、
前記プローブが、前記貯留対象液の物理量を検出するように構成された液化ガス貯留タンクにおける計測装置に関する。
【背景技術】
【０００２】
かかる液化ガス貯留タンクにおける計測装置は、例えば、液化ガス貯留タンクとしての液化天然ガスタンクに貯留された液化天然ガスが「ロール・オーバー」を発生することを回避する等のために、液化天然ガスタンクに貯留された液化天然ガスの上下方向での密度分布を計測する等、貯留対象液の密度、温度等の物理量を計測するものである。
そして、プローブのメンテナンスを行う際等においては、プローブ及び重錘部をケーシング内に収納する状態にし、かつ、開閉部を閉じ状態にすることにより、メンテナンス作業を良好に行えるものである。
【０００３】
従来の液化ガス貯留タンクにおける計測装置は、一対のガイドワイヤの下端部に備えた重錘部を液化ガス貯留タンクのタンク底部に位置させるガイド状態において、単に、重錘部を液化ガス貯留タンクの底部に接触させる状態に維持させるように構成されていた（例えば、特許文献１参照。）。
【先行技術文献】
【特許文献】
【０００４】
【特許文献１】特許第５９０５１４５号公報
【発明の概要】
【発明が解決しようとする課題】
【０００５】
液化ガス貯留タンクに貯留される貯留対象液は、新たに貯留する貯留対象液が液化ガス貯留ガスタンクに供給されるときや地震が発生したとき等において、横方向等に大きく流動することがあり、その流動に伴って、一対のガイドワイヤが大きく揺れ動く等に起因して、重錘部も横方向等に大きく揺れ動く虞がある。
【０００６】
そして、重量が大きな重錘部が大きく揺れ動くと、タンク底部に設置されている温度計測器等の他の機器類に重錘部が接当して損傷させる虞があり、改善が望まれている。
【０００７】
本発明は、上記実情に鑑みて為されたものであって、その目的は、重錘部の揺れ動きを規制して、他の機器類の損傷を回避できる液化ガス貯留タンクにおける計測装置を提供する点にある。
【課題を解決するための手段】
【０００８】
本発明の液化ガス貯留タンクにおける計測装置は、液化天然ガス又は液化石油ガスを貯留対象液として貯留する液化ガス貯留タンクの屋根の上部に設けたケーシングと、当該ケーシングの内部と前記液化ガス貯留タンクの内部との前記屋根に形成した連通用開口を通した連通を開閉する開閉部と、一対のガイドワイヤの下端部に備えた重錘部を前記液化ガス貯留タンクの底部側に位置させるガイド状態と前記重錘部を前記ケーシングに収納する収納状態とに切換えるために、前記一対のガイドワイヤを繰出し及び巻き取る巻回部と、前記一対のガイドワイヤにて案内される形態で昇降操作されるプローブとが設けられ、
前記プローブが、前記貯留対象液の物理量を検出するように構成されたものであって、その第１特徴構成は、
前記重錘部の横移動範囲を規制する状態で前記ガイド状態の前記重錘部を収納する重錘部収納体が、前記液化天然ガスタンクのタンク底部に固定状態で設けられている点にある。
【０００９】
すなわち、液化ガス貯留タンクのタンク底部に、重錘部収納体が固定状態で設けられ、ガイド状態の重錘部が、重錘部収納体に収納されて、その横移動範囲が規制されることになる。
したがって、液化ガス貯留タンクに貯留されている貯留対象液が、新たに貯留する貯留対象液が液化ガス貯留タンクに供給されるときや地震が発生したとき等において、横方向等に大きく流動することに起因して、一対のガイドワイヤが大きく揺れ動くことがあっても、重錘部は重錘部収納体の内部にて揺れ動くだけとなる。
【００１０】
このように、重錘部は重錘部収納体の内部にて揺れ動くものとなるから、タンク底部に設置されている温度計測器等の他の機器類に重錘部が接当して損傷させることを回避できる。
【００１１】
要するに、本発明の液化ガス貯留タンクにおける計測装置によれば、重錘部の揺れ動きを規制して、他の機器類の損傷を回避できる。
【００１２】
本発明の液化ガス貯留タンクにおける計測装置の更なる特徴構成は、前記重錘部収納体が、前記重錘部の横移動を受止め規制する側壁部と前記重錘部の上昇を受止め規制する上壁部とを備え、
前記上壁部における前記連通用開口の直下方に対応する箇所に、前記重錘部が昇降する重錘部通過口が形成され、かつ、前記上壁部における前記重錘部通過口の周囲に、前記ガイドワイヤが挿通可能な複数のワイヤ挿通孔が放射状に形成されている点にある。
【００１３】
すなわち、重錘部をガイド状態と収納状態との切換えの際には、重錘部収納体の上壁部に形成した重錘部通過口を通過しながら、重錘部が昇降することになり、ガイド状態においては、重錘部が重錘部収納体の内部に収納されることになる。
【００１４】
そして、重錘部が重錘部収納体の内部に収納された状態において、液化ガス貯留タンクに貯留されている貯留対象液が横方向等に大きく流動すること等により、一対のガイドワイヤが横方向等に大きく揺れ動くと、重錘部が上昇側に移動することになるが、その際には、ガイドワイヤがワイヤ挿通孔に進入した状態で重錘部が上昇移動することになるため、重錘部が重錘部収納体の上壁部に係止された状態になり、重錘部が重錘部収納体の外部に離脱することが防止される。
【００１５】
したがって、一対のガイドワイヤが横方向等に大きく揺れ動く等により、重錘部が上昇移動しても、重錘部が重錘部収納体の外部に離脱することを防止して、重錘部を重錘部収納体の内部にて揺れ動く状態を適切に維持できる。
【００１６】
要するに、本発明の液化ガス貯留タンクにおける計測装置の更なる特徴構成によれば、重錘部が上昇移動しても、重錘部を重錘部収納体の内部にて揺れ動く状態に適切に維持できる。
【００１７】
本発明の液化ガス貯留タンクにおける計測装置の更なる特徴構成は、前記重錘部収納体が、前記重錘部の下降動を受止め規制する底壁部を備え、
前記底壁部が、前記重錘部通過口の鉛直方向下方側に位置する水平状の重錘部受部分と当該重錘部受部分の周囲に当該重錘部受部分から離れるほど上方に位置する重錘部案内部分とを備える形態に構成されている点にある。
【００１８】
すなわち、重錘部は、ガイド状態においては、重錘部収納体における底壁部の重錘部受部分に載置されることになる。そして、一対のガイドワイヤが横方向等に大きく揺れ動くことに伴って、重錘部が重錘部収納体の内部を横方向や上下方向に揺れ動くことになる。
その後、一対のガイドワイヤの揺れ動きが停止すると、重錘部は、重錘部収納体における底壁部の重錘部案内部分に案内されながら、重錘部受部分に載置される状態に復帰することになる。
【００１９】
したがって、一対のガイドワイヤが横方向等に大きく揺れ動くことに伴って、重錘部収納体の内部を揺れ動くことになる重錘部を、一対のガイドワイヤの揺れ動きが停止すると、上壁部に形成した重錘部通過口の鉛直方向下方側に位置する水平状の重錘部受部分に復帰移動させることができるので、その後、ガイド状態から収納状態に切換えるために、重錘部通過口を通して重錘部を上昇移動させることを適切に行うことができる。
【００２０】
要するに、本発明の液化ガス貯留タンクにおける計測装置の更なる特徴構成によれば、
重錘部が重錘部収納体の内部を揺れ動いた後においても、重錘部通過口を通して重錘部を適切に上昇移動させることができる。
【００２１】
本発明の液化ガス貯留タンクにおける計測装置の更なる特徴構成は、前記重錘部収納体の周囲に、前記底壁部を前記タンク底部から浮上させた状態で前記重錘部収納体を支持する複数の脚部が備えられている点にある。
【００２２】
すなわち、重錘部収納体の周囲の複数の脚部にて、重錘部収納体の底壁部をタンク底部から浮上させた状態で、重錘部収納体が支持される。
このように、重錘部収納体の底壁部がタンク底部から浮上させているから、重錘部を収納状態からガイド状態に切換える際等において、重錘部が重錘部収納体の底壁部に衝突することがあっても、その衝撃力を複数の脚部にて分散して支持できるため、タンク底部の変形損傷を抑制することができる。
【００２３】
つまり、重錘部収納体の底壁部をタンク底部に接触させる状態で重錘部収納体を設置すると、重錘部を収納状態からガイド状態に切換える際等において、重錘部が重錘部収納体の底壁部に衝突する衝撃力にて、タンク底部を変形損傷する虞があるが、重錘部が重錘部収納体の底壁部に衝突することによって発生する衝撃力を複数の脚部にて分散して支持することにより、タンク底部の変形損傷を抑制することができる。
【００２４】
要するに、本発明の液化ガス貯留タンクにおける計測装置の更なる特徴構成によれば、タンク底部の変形損傷を抑制することができる。
【図面の簡単な説明】
【００２５】
【図１】液化天然ガスタンクにおける計測装置を示す一部切欠き概略正面図
【図２】計測装置のケーシング装着部を示す一部切欠正面図
【図３】計測装置のケーシング装着部を示す一部切欠側面図
【図４】計測装置のケーシング装着部の一部切欠平面図
【図５】プローブを示す一部切欠正面図
【図６】重錘部を示す一部切欠正面図
【図７】間隔規制体の平面図
【図８】重錘収納体の正面図
【図９】重錘収納体の平面図
【図１０】重錘部の収納状態を示す説明図
【発明を実施するための形態】
【００２６】
〔実施形態〕
以下、本発明の実施形態を図面に基づいて説明する。
（計測装置の全体構成）
図１に示すように、液化ガス貯留タンクの一例としての液化天然ガスタンク１に、貯留対象液として液化天然ガスが貯留され、貯留された液化天然ガスの物理量として密度を計測する計測装置Ｐが、屋根１Ａに予め設けられている予備開口部２を連通用開口として用いて装着されている。
つまり、本実施形態の計測装置Ｐは、既設の液化天然ガスタンク１に対して、汎用の点検口である予備開口部２を利用して装着されている。尚、予備開口部２は、フランジ接続部を備えた筒状体を液化天然ガスタンク１の屋根１Ａに装着する形態に構成されている。
【００２７】
計測装置Ｐは、液化天然ガスタンク１の屋根１Ａの上部における予備開口部２に対応する箇所に設けたケーシング３と、ケーシング３の内部と液化天然ガスタンク１の内部との予備開口部２を通した連通を開閉する開閉部４と、ケーシング３から予備開口部２を通して液化天然ガスタンクの内部に垂下される一対のガイドワイヤ５と、一対のガイドワイヤ５の下端部に備えた重錘部６と、重錘部６を液化天然ガスタンク１の底部に位置させるガイド状態と重錘部６をケーシング３に収納する収納状態とに切換えるために、一対のガイドワイヤ５を繰出し及び巻き取る巻回部７と、一対のガイドワイヤ５にて案内される形態で昇降操作されるプローブＱとを備える形態に構成されている。
【００２８】
開閉部４は、開閉弁体を筒状ケーシングの内部に備える形態に構成されるものであって、予備開口部２を構成する筒状体の上部に、筒状ケーシングがフランジ接続されるように構成されている。
ちなみに、本実施形態における液化天然ガスタンク１は、タンク底部１Ｂから屋根１Ａまでの高さが、例えば、４０ｍ程度である。
【００２９】
本実施形態においては、プローブＱの昇降高さを検出するゲージの役割を担う測長テープ８を繰出し及び巻き取る巻き取り式の昇降機９が、ケーシング３の上部に設けられ、プローブＱが測長テープ８の下端部に吊下げ支持されている。
尚、測長テープ８には、後述するセンサヘッドＳ（図５参照）に接続される電力線や信号線が備えられることになる。
【００３０】
そして、液化天然ガスタンク１に貯留された液化天然ガスの密度を計測する際には、一対のガイドワイヤ５を繰出して、重錘部６を液化天然ガスタンク１の底部側に位置させるガイド状態にし、そのガイド状態において、プローブＱを一対のガイドワイヤ５にて案内しながら昇降させるように構成されており、その詳細は後述する。
ちなみに、プローブＱは、計測時には測長テープ８で吊持された状態で液化天然ガスタンク１の内部を昇降されることになる。
【００３１】
本実施形態においては、ガイド状態の重錘部６の横移動範囲を規制する状態で重錘部６を収納する重錘部収納体Ｕが、液化天然ガスタンク１のタンク底部１Ｂに固定状態で設けられて、新たに貯留する液化天然ガスが液化天然ガスタンク１に供給されるときや地震が発生したとき等において、貯留されている液化天然ガスが横方向等に流動すること等に起因して、一対のガイドワイヤ５が横方向等に揺れ動く際に、重錘部６が横移動することを規制するように構成されており、重錘部収納体Ｕの詳細は後述する。
【００３２】
また、プローブＱを点検する等のメンテナンスを行う際には、図２及び図３に示すように、重錘部６及びプローブＱをケーシング３の内部に収納し、且つ、開閉部４を閉じることになり、その詳細は後述する。
ちなみに、プローブＱは、メンテナンス時には、測長テープ８で牽引されて、ケーシング３の内部に、測長テープ８と共に収納されることになる。
【００３３】
（ケーシングの詳細）
図２及び図３に示すように、ケーシング３は、上方側に位置する円筒状の大径筒部３ａと、大径筒部３ａの下方に位置する下方側ほど小径となる縮径状の縮径部３ｂと、縮径部３ｂの下方に位置する小径の円筒状の小径筒部３ｃとを備えている。
大径筒部３ａの上部に上部フランジ３Ａを備え、小径筒部３ｃの底部には下部フランジ３Ｂを備えている。
そして、小径筒部３ｃの下部フランジが、開閉部４を構成する筒状ケーシングの上部にフランジ接続されている。
【００３４】
大径筒部３ａの上部フランジに、測長テープ８が挿通する開口を備えた天板１０が装着され、その天板１０の上部に、昇降機９が装着されている。
大径筒部３ａの横側部に、横向き姿勢の点検用筒部１１が横側方に開口する状態で設けられ、その点検用筒部１１の開口部には、開閉蓋１１Ａが着脱自在に装着されている。
【００３５】
図３及び図４に示すように、大径筒部３ａの横側部における点検用筒部１１の装着箇所とは離れた箇所に、巻回部７を支持する一対のベース台１２が備えられている。
巻回部７を構成する一対のウインチ式のリール部７Ａが手動にて回転操作される形態で設けられ、それら一対のリール部７Ａの夫々から各別に延出される一対のガイドワイヤ５が、ワイヤ導入筒１３を通して、大径筒部３ａの内部に導入されている。
図２及び図３に示すように、天板１０の下面に、ワイヤ導入筒１３を通して導入された一対のガイドワイヤ５を下向きに案内する一対の中継案内輪１４が装着されている。
【００３６】
（プローブの詳細）
図５に示すように、プローブＱは、液化天然ガスの密度を計測するセンサヘッドＳと、センサヘッドＳを収納するセンサケース１５と、測長テープ８に連結される連結体１６とを備えている。
センサケース１５は、上方ガイド部１５Ｕと、下方ガイド部１５Ｓと、上方ガイド部１５Ｕと下方ガイド部１５Ｓとを接続する複数の支柱１５Ｈとを備えている。
上方ガイド部１５Ｕ及び下方ガイド部１５Ｓの夫々には、一対のガイドワイヤ５を挿通してプローブＱの昇降を案内する一対の案内孔１７が形成されている。
【００３７】
ちなみに、上方ガイド部１５Ｕの上面部が、上向きの山形状に形成され、下方ガイド部１５Ｓの下面部が、下向きの山形状に形成されており、プローブＱが昇降するときに、液化天然ガスと上方ガイド部１５Ｕ及び下方ガイド部１５Ｓとの間に発生する流体抵抗を軽減して、プローブＱを円滑に昇降させることができ、また、プローブＱが予備開口部２等を通過することを円滑に行えることになる。
【００３８】
連結体１６は、上方ガイド部１５Ｕから上方に突出される部分が測長テープ８に連結され、上方ガイド部１５Ｕを貫通して下方に延びる部分の端部に、コネクタ支持部１６Ａを備え、コネクタ支持部１６Ａが、柱状体１８を介してセンサヘッドＳを吊下げ支持するように構成されている。
ちなみに、連結体１６における上方ガイド部１５Ｕの下方に突出する突出部分が、水平方向に折曲げられた後、下方に折曲げられる形態に構成され、連結体１６における水平方向に折曲げられた部分が、上方ガイド部１５Ｕの底部を受止め支持するように構成されている。つまり、センサケース１５が連結体１６に支持されている。
【００３９】
（重錘部の詳細）
図６に示すように、重錘部６には、一対のガイドワイヤ５の夫々に各別に吊下げ支持される一対の重錘本体６Ａが設けられ、一対の重錘本体６Ａの上部箇所には、一対のガイドワイヤ５の間隔を規制する間隔規制体１９が設けられている。
間隔規制体１９は、図６及び図７に示すように、一対のガイドワイヤ５のうちの一方に外嵌する第１筒部１９ａ、一対のガイドワイヤ５のうちの他方に外嵌する第２筒部１９ｂ、及び、第１筒部１９ａと第２筒部１９ｂの上端部同士を接続する棒状部１９ｃを備える形状に形成され、かつ、第１筒部１９ａの長さが第２筒部１９ｂの長さよりも長く形成されている。
【００４０】
ちなみに、本実施形態においては、一対のガイドワイヤ５の間隔Ｌ１が、１００ｍｍ程度であり、一対の重錘本体６Ａの並び方向での横幅Ｌ２が、１８０ｍｍ程度であり、重錘本体６Ａの底面から間隔規制体１９の上端までの高さＬ３が、４５０ｍｍ程度である。
また、図７に示すように、間隔規制体１９における第１筒部１９ａ及び第２筒部１９ｂは、円筒状に形成されるものであって、その外径Ｌ４が、１４ｍｍ程度である。
【００４１】
ちなみに、第１筒部１９ａ及び第２筒部１９ｂにおける横外方側端部が、傾斜状になるように面取り形成され、一対の重錘本体６Ａの上端部及び下端部が傾斜状になるように面取り形成されており、重錘部６が予備開口部２や重錘部収納体Ｕ等を通過することを円滑に行えるように構成されている。
【００４２】
（重錘部収納体の詳細）
図８及び図９に示すように、重錘部収納体Ｕが、重錘部６の横移動を受止め規制する側壁部２１と、重錘部６の上昇を受止め規制する上壁部２２と、重錘部６の下降動を受止め規制する底壁部２３とを備える形態に構成されている。
本実施形態においては、重錘部収納体Ｕの底壁部２３の底面から上壁部２２の上面までの高さが、９６０ｍｍ程度であり、平面視での外径が、８００ｍｍ程度である。
【００４３】
上壁部２２における予備開口部２の鉛直方向下方側に対応する箇所に、重錘部６が昇降する重錘部通過口２２Ａが形成され、かつ、上壁部２２における重錘部通過口２２Ａの周囲に、ガイドワイヤ５が挿通可能な複数のワイヤ挿通孔２２ａ（本実施形態では１６個）が放射状に形成されている。
本実施形態においては、ワイヤ挿通孔２２ａの長さ（径方向の奥行）が、１６０ｍｍ程度である。
【００４４】
また、重錘部通過口２２Ａの周縁における隣接するワイヤ挿通孔２２ａの間に位置する中間部の先端部分が、径方向内方側に突出する湾曲状に形成されており、径方向外方側に移動するガイドワイヤ５をワイヤ挿通孔２２ａに向けて案内するように構成されている。
加えて、ワイヤ挿通孔２２ａの間に位置する中間部における湾曲状に形成された先端部分の上下の外周縁部が、滑らかな面状になるように加工されて、ガイドワイヤ５が接触しても、そのガイドワイヤ５の損傷を抑制するように構成されている。
ちなみに、重錘部通過口２２Ａが、隣接するワイヤ挿通孔２２ａの間に位置する湾曲状部分の頂部を結ぶ円形状に形成されることになる。
【００４５】
本実施形態においては、重錘部通過口２２Ａの直径が、一対の重錘本体６Ａの並び方向での横幅Ｌ２（１８０ｍｍ程度）よりも大きな３２０ｍｍ程度に形成され、ワイヤ挿通孔２２ａの横幅が、ガイドワイヤ５の径（例えば、３ｍｍ程度）よりも大きな２２ｍｍ程度に形成され、さらに、周方向に並ぶ複数のワイヤ挿通孔２２ａの入口側の形成ピッチが、２３ｍｍ程度に形成されている。
【００４６】
ちなみに、重錘部６の間隔規制体１９の第１筒部１９ａ及び第２筒部１９ｂの外径Ｌ４が１４ｍｍ程度であるから、間隔規制体１９の第１筒部１９ａ及び第２筒部１９ｂがワイヤ挿通孔２２ａに進入する可能性があるが、周方向に並ぶ複数のワイヤ挿通孔２２ａの入口側の形成ピッチが２３ｍｍ程度であるのに対して、間隔規制体１９の第１筒部１９ａ及び第２筒部１９ｂの間隔が、一対のガイドワイヤ５の間隔（１００ｍｍ程度）に相当する長さである等により、多くの場合、間隔規制体１９がワイヤ挿通孔２２ａに進入することはない。
つまり、重錘部６が重錘部収納体Ｕの上壁部２２に接当する際には、主として、間隔規制体１９が上壁部２２に接当するように構成されている。
【００４７】
底壁部２３が、重錘部通過口２２Ａの直下方に位置する水平状の重錘部受部分２３Ａと、当該重錘部受部分２３Ａの周囲に当該重錘部受部分２３Ａから離れるほど上方に位置する傾斜状の重錘部案内部分２３Ｂとを備える形態に構成されている。
したがって、後述の如く、重錘部６が横移動しながら上昇した後、重錘部６が下降する際に、重錘部案内部分２３Ｂの案内作用により、重錘部６が重錘部受部分２３Ａの上方箇所に復帰移動するように構成されている。
尚、重錘部受部分２３Ａの外径は、重錘部通過口２２Ａの直径（３２０ｍｍ程度）と同じ３２０ｍｍ程度である。
【００４８】
重錘部収納体Ｕの周囲に、底壁部２３をタンク底部１Ｂから浮上させた状態で重錘部収納体Ｕを支持する複数の脚部２４が備えられている。
本実施形態においては、４本の脚部２４が、側壁部２１から横外方に突設された脚支持部２１Ａから下方に突出する状態で設けられ、各脚部２４の下端部が、タンク底部１Ｂに対して溶接等により固定されている。
そして、底壁部２３が、３０ｍｍ程度、タンク底部１Ｂから浮上されている。
尚、脚支持部２１Ａ及び脚部２４は、Ｌ字状のアングル材を用いて構成されている。
【００４９】
（測定装置の使用方法の説明）
メンテナンス等のために、プローブＱと重錘部６とがケーシング３の内部に収納されているときには、開閉部４が閉じ状態に操作されて、ケーシング３の内部と液化天然ガスタンク１の内部とが非連通状態となっている。
この状態から測定を開始する際には、ケーシング３の内部に不活性ガス（窒素ガス）をパージ孔（図示を省略）から充填した後、開閉部４を開き状態に操作して、ケーシング３の内部と液化天然ガスタンク１の内部とを連通状態にした後、巻回部７から一対のガイドワイヤ５を繰出して、重錘部６を重錘部収納体Ｕの底壁部２３に着床させた状態にする。
この際、一対のガイドワイヤ５を張り状態となるようにする。
【００５０】
その後、昇降機９を作動させて、一対のガイドワイヤ５にて案内しながら、プローブＱを液化天然ガスタンク１の内部を昇降させることにより、液化天然ガスタンク１に貯留された液化天然ガスの上下方向での密度分布を計測することになる。
【００５１】
重錘部６は、ガイド状態においては重錘部収納体Ｕに収納されているので、液化天然ガスタンク１に新たな液化天然ガスが供給される等により、貯留されている液化天然ガスが流動して一対のガイドワイヤ５が揺れ動いても、重錘部６は重錘部収納体Ｕの内部で移動するだけであり、タンク底部１Ｂに装備されている他の機器類（温度計測部等）を損傷することがない。
【００５２】
また、地震が発生する等により、貯留されている液化天然ガスが大きく流動すること等に起因して、一対のガイドワイヤ５が大きく揺れ動くこと等により、重錘部６が浮上しながら大きく移動する場合があるが、このような場合には、ガイドワイヤ５がワイヤ挿通孔２２ａに挿入した状態で、重錘部６が重錘部収納体Ｕの上壁部２２にて受止められることになるので、重錘部６が重錘部収納体Ｕから飛び出すことが回避される。
【００５３】
そして、地震が止まる等により、貯留されている液化天然ガスの流動が停止すると、重錘部６が底壁部２３の重錘部案内部分２３Ｂの案内作用により、底壁部２３の重錘部受部分２３Ａに支持される状態に復帰することになる。
【００５４】
プローブＱをメンテナンスする際等においては、プローブＱ及び重錘部６を上昇させてケーシング３の内部に収納させ、開閉部４を閉じ状態に操作して、ケーシング３の内部と液化天然ガスタンク１の内部とを非連通状態にする。
次に、ケーシング３の内部に不活性ガス（窒素ガス）をパージ孔（図示を省略）から充填し、その後、点検用筒部１１の開閉蓋１１Ａを開いて、プローブＱに対する点検を行う等の作業を行うことになる。
【００５５】
〔別実施形態〕
次に別実施形態を列記する。
（１）上述の実施形態では、液化天然ガスの密度のみを計測する場合を例示したが、例えば、プローブＱを用いて密度に加えて温度を併せて計測する等、液化天然ガスの密度に加えて、液化天然ガスの他の物理量を併せて計測させるようにしてもよく、また、密度を計測せずに、温度等の他の物理量のみを検出させるようにしてもよい。
また、プローブＱにて液化天然ガスの存否を検出し、かつ、プローブＱの昇降位置を検出して、液化天然ガスの液面レベルを計測させるようにしてもよい。
【００５６】
（２）上述の実施形態では、重錘部収納体Ｕが底壁部２３を備える場合を例示したが、底壁部２３を備えない形態で実施してもよい。この場合、重錘部６をタンク底部１Ｂにて受止めるように構成するとよい。
【００５７】
（３）上述の実施形態では、重錘部収納体Ｕが上壁部２２を備える場合を例示したが、上壁部２２を備えない形態で実施してもよい。この場合、側壁部２１の高さを十分に高くして、重錘部６が重錘部収納体Ｕから飛び出すのを回避するように構成するとよい。
【００５８】
（４）重錘部収納体Ｕに上壁部２２を備えさせる場合において、ワイヤ挿通孔２２ａの形成数は各種変更でき、また、ワイヤ挿通孔２２ａの具体形状も各種変更できる。
【００５９】
（５）上述の実施形態では、既設の液化天然ガスタンク１に対して計測装置Ｐを装着する場合を例示したが、本発明の計測装置Ｐは、新規に設置する液化天然ガスタンク１に対して装備できるものであることは勿論である。
【００６０】
（６）上述の実施形態では、液化ガス貯留タンクとしての液化天然ガスタンク１に、貯留対象液として液化天然ガスを貯留する場合を例示したが、液化ガス貯留タンクとしての液化石油ガスタンクに、貯留対象液として液化石油ガスを貯留する場合においても、上述の実施形態と同様に実施できるものである。
【００６１】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００６２】
１      液化天然ガスタンク（液化ガス貯留タンク）
１Ａ    屋根
１Ｂ    タンク底部
２      連通用開口
３      ケーシング
４      開閉部
５      ガイドワイヤ
６      重錘部
７      巻回部
２１    側壁部
２２    上壁部
２２Ａ  重錘部通過口
２２ａ  ワイヤ挿通孔
２３    底壁部
２３Ａ  重錘部受部分
２３Ｂ  重錘部案内部分
２４    脚部
Ｑ      プローブ
Ｕ      重錘部収納体
【図１】
2018132173.tif 000003
【図２】
2018132173.tif 000004
【図３】
2018132173.tif 000005
【図４】
2018132173.tif 000006
【図５】
2018132173.tif 000007
【図６】
2018132173.tif 000008
【図７】
2018132173.tif 000009
【図８】
2018132173.tif 000010
【図９】
2018132173.tif 000011
【図１０】
2018132173.tif 000012
【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
液化天然ガス又は液化石油ガスを貯留対象液として貯留する液化ガス貯留タンクの屋根の上部に設けたケーシングと、当該ケーシングの内部と前記液化ガス貯留タンクの内部との前記屋根に形成した連通用開口を通した連通を開閉する開閉部と、一対のガイドワイヤの下端部に備えた重錘部を前記液化ガス貯留タンクの底部側に位置させるガイド状態と前記重錘部を前記ケーシングに収納する収納状態とに切換えるために、前記一対のガイドワイヤを繰出し及び巻き取る巻回部と、前記一対のガイドワイヤにて案内される形態で昇降操作されるプローブとが設けられ、
前記プローブが、前記貯留対象液の物理量を検出するように構成された液化ガス貯留タンクにおける計測装置であって、
前記重錘部の横移動範囲を規制する状態で前記ガイド状態の前記重錘部を収納する重錘部収納体が、前記液化ガス貯留タンクのタンク底部に固定状態で設けられ、
前記重錘部収納体が、前記重錘部の横移動を受止め規制する側壁部と前記重錘部の上昇を受止め規制する上壁部とを備え、
前記上壁部における前記連通用開口の鉛直方向下方側に対応する箇所に、前記重錘部が昇降する重錘部通過口が形成され、かつ、前記上壁部における前記重錘部通過口の周囲に、前記ガイドワイヤが挿通可能な複数のワイヤ挿通孔が放射状に形成されている液化ガス貯留タンクにおける計測装置。
【請求項２】
前記重錘部収納体が、前記重錘部の下降動を受止め規制する底壁部を備え、
前記底壁部が、前記重錘部通過口の鉛直方向下方側に位置する水平状の重錘部受部分と当該重錘部受部分の周囲に当該重錘部受部分から離れるほど上方に位置する重錘部案内部分とを備える形態に構成されている請求項１記載の液化ガス貯留タンクにおける計測装置。
【請求項３】
前記重錘部収納体の周囲に、前記底壁部を前記タンク底部から浮上させた状態で前記重錘部収納体を支持する複数の脚部が備えられている請求項２記載の液化ガス貯留タンクにおける計測装置。
【手続補正２】
【補正対象書類名】明細書
【補正対象項目名】０００８
【補正方法】変更
【補正の内容】
【０００８】
本発明の液化ガス貯留タンクにおける計測装置は、液化天然ガス又は液化石油ガスを貯留対象液として貯留する液化ガス貯留タンクの屋根の上部に設けたケーシングと、当該ケーシングの内部と前記液化ガス貯留タンクの内部との前記屋根に形成した連通用開口を通した連通を開閉する開閉部と、一対のガイドワイヤの下端部に備えた重錘部を前記液化ガス貯留タンクの底部側に位置させるガイド状態と前記重錘部を前記ケーシングに収納する収納状態とに切換えるために、前記一対のガイドワイヤを繰出し及び巻き取る巻回部と、前記一対のガイドワイヤにて案内される形態で昇降操作されるプローブとが設けられ、
前記プローブが、前記貯留対象液の物理量を検出するように構成されたものであって、
その特徴構成は、
前記重錘部の横移動範囲を規制する状態で前記ガイド状態の前記重錘部を収納する重錘
部収納体が、前記液化天然ガスタンクのタンク底部に固定状態で設けられ、
前記重錘部収納体が、前記重錘部の横移動を受止め規制する側壁部と前記重錘部の上昇を受止め規制する上壁部とを備え、
前記上壁部における前記連通用開口の鉛直方向下方側に対応する箇所に、前記重錘部が昇降する重錘部通過口が形成され、かつ、前記上壁部における前記重錘部通過口の周囲に、前記ガイドワイヤが挿通可能な複数のワイヤ挿通孔が放射状に形成されている点にある。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
また、重錘部をガイド状態と収納状態との切換えの際には、重錘部収納体の上壁部に形成した重錘部通過口を通過しながら、重錘部が昇降することになり、ガイド状態においては、重錘部が重錘部収納体の内部に収納されることになる。
【手続補正５】
【補正対象書類名】明細書
【補正対象項目名】００１６
【補正方法】変更
【補正の内容】
【００１６】
要するに、本発明の液化ガス貯留タンクにおける計測装置の特徴構成によれば、上記作用効果に加えて、重錘部が上昇移動しても、重錘部を重錘部収納体の内部にて揺れ動く状態に適切に維持できる。
【手続補正６】
【補正対象書類名】明細書
【補正対象項目名】００５７
【補正方法】削除
【補正の内容】
【手続補正７】
【補正対象書類名】明細書
【補正対象項目名】００５８
【補正方法】変更
【補正の内容】
【００５８】
（３）重錘部収納体Ｕに上壁部２２を備えさせる場合において、ワイヤ挿通孔２２ａの形成数は各種変更でき、また、ワイヤ挿通孔２２ａの具体形状も各種変更できる。
【手続補正８】
【補正対象書類名】明細書
【補正対象項目名】００５９
【補正方法】変更
【補正の内容】
【００５９】
（４）上述の実施形態では、既設の液化天然ガスタンク１に対して計測装置Ｐを装着する場合を例示したが、本発明の計測装置Ｐは、新規に設置する液化天然ガスタンク１に対して装備できるものであることは勿論である。
【手続補正９】
【補正対象書類名】明細書
【補正対象項目名】００６０
【補正方法】変更
【補正の内容】
【００６０】
（５）上述の実施形態では、液化ガス貯留タンクとしての液化天然ガスタンク１に、貯留対象液として液化天然ガスを貯留する場合を例示したが、液化ガス貯留タンクとしての液化石油ガスタンクに、貯留対象液として液化石油ガスを貯留する場合においても、上述の実施形態と同様に実施できるものである。